(57)【特許請求の範囲】
【請求項１】
複数の座席を備えた移動体の天井部に回動自在に設けられた回動部と、
一端部が前記回動部に支持され、当該回動部の回動により前記天井部の壁面に沿って移動可能となるアーム部と、
前記アーム部の他端部に支持された表示部と、を備え、
前記アーム部は、前記天井部の壁面に沿って移動することにより前記複数の座席毎に視認可能となる位置に前記表示部を位置付けるとともに、一の座席に対する視認可能となる位置から他の座席に対する視認可能となる位置へ前記表示部を移動することを特徴とする表示装置。
【請求項２】
前記アーム部は、前記回動部に回動自在に支持されていることを特徴とする請求項１記載の表示装置。
【請求項３】
前記回動部は、前記天井部に対し交差する方向に沿った第１の回動軸回りに回動自在に設けられ、
前記アーム部は、前記第１の回動軸に対し交差する第２の回動軸回りに回動自在に前記回動部に支持されていることを特徴とする請求項２記載の表示装置。
【請求項４】
前記表示部は、前記アーム部に回動自在に支持されていることを特徴とする請求項１ないし請求項３のうちいずれか一項に記載の表示装置。
【請求項５】
前記表示部は、前記アーム部に対し互いに交差する第３の回動軸と第４の回動軸との双方の回りに回動自在に設けられたことを特徴とする請求項４記載の表示装置。
【請求項６】
前記回動部は、前記天井部に対し交差する方向に沿った第１の回動軸回りに回動自在に設けられ、
前記アーム部は、前記第１の回動軸に対し交差する第２の回動軸回りに回動自在に前記回動部に支持され
前記第３の回動軸は、前記第１の回動軸に沿って配され、
前記第４の回動軸は、前記第２の回動軸に沿って配されていることを特徴とする請求項５記載の表示装置。
【請求項７】
前記移動体の天井部の壁面から凹に形成されかつ前記アーム部を収容可能な凹部を複数備えたことを特徴とする請求項１ないし請求項６のうちいずれか一項に記載の表示装置。
【請求項８】
前記複数の凹部は、互いに方向が異なりかつ前記回動部の天井部に対する取付位置から放射方向に沿って延在して形成されたことを特徴とする請求項７記載の表示装置。
【請求項９】
前記複数の凹部のうち少なくとも一つの凹部の前記回動部の天井部に対する取付位置から離れた箇所に設けられ、かつ前記表示部を収容可能な第２凹部を備えたことを特徴とする請求項７または請求項８に記載の表示装置。
【発明の詳細な説明】
【０００１】
【発明の属する技術分野】
本発明は、自動車等の移動体に装着される表示装置に関する。
【０００２】
【従来の技術】
従来から、移動体としての車両には、テレビ装置などの液晶表示パネルなどを備えた表示ユニットが取付られることがある。前記表示ユニットは、テレビ装置が受信した映像などの情報を表示する。
【０００３】
前述した表示ユニット１０１を備えた表示装置１０２として、例えば、図８に示すように、移動体としての自動車の天井部１０３に取り付けられるものが提案されている。図８に例示された表示装置１０２は、自動車の乗員室の天井部１０３の乗員室側に相対向する壁面１０３ａに取付られる前述した情報を表示可能な表示ユニット１０１を備えている。
【０００４】
前記表示ユニット１０１は、前述した情報を表示可能な表示パネル１０４と、この表示パネル１０４を収容する筐体１０５と、を備えている。筐体１０５は、矩形状に形成されている。前記表示ユニット１０１は、回動軸１０６を中心として回動自在に、前記壁面１０３ａに取り付けられている。
【０００５】
前記回動軸１０６は、前記壁面１０３ａと、前記筐体１０５の一辺との双方に沿って配されている。回動軸１０６は、前記表示ユニット１０２の上端部に、この表示ユニット１０２の幅方向に沿って配されている。
【０００６】
前述した構成によって、前記表示装置１０２は、前記回動軸１０６回りに表示ユニット１０１を回動させることによって、乗員に相対向して情報を提供するようになっている。
【０００７】
【発明が解決しようとする課題】
ところで、前述した移動体としての自動車は、前記乗員を着座させるための座席を複数備えている。前述した表示装置１０２は、情報を表示する表示ユニット１０１を、一つの前記回動軸１０６回りに回動自在に設けているだけであるため、座席ごとに、前記表示パネル１０４の見やすさが異なっていた。
【０００８】
このため、座席によっては、前記表示パネル１０４が表示する情報を確実に
視認することが困難となって、前記従来の表示装置１０２は、複数の座席に着座する乗員に対し確実に情報を提供できるとは言い難かった。
【０００９】
したがって、本発明の目的は、複数の座席を備えた移動体に装備された際に、座席毎に見やすさが異なることを防止して、全ての座席に着座する乗員に対し確実に情報を提供することができる表示装置を提供することにある。
【００１０】
【課題を解決するための手段】
前記課題を解決し目的を達成するために、請求項１に記載の本発明の表示装置は、複数の座席を備えた移動体の天井部に回動自在に設けられた回動部と、一端部が前記回動部に支持され、当該回動部の回動により前記天井部の壁面に沿って移動可能となるアーム部と、前記アーム部の他端部に支持された表示部と、を備え、前記アーム部は、前記天井部の壁面に沿って移動することにより前記複数の座席毎に視認可能となる位置に前記表示部を位置付けるとともに、一の座席に対する視認可能となる位置から他の座席に対する視認可能となる位置へ前記表示部を移動することを特徴としている。
【００１１】
請求項２に記載の本発明の表示装置は、請求項１記載の表示装置において、前記アーム部は、前記回動部に回動自在に支持されていることを特徴としている。
【００１２】
請求項３に記載の本発明の表示装置は、請求項２記載の表示装置において、前記回動部は、前記天井部に対し交差する方向に沿った第１の回動軸回りに回動自在に設けられ、前記アーム部は、前記第１の回動軸に対し交差する第２の回動軸回りに回動自在に前記回動部に支持されていることを特徴としている。
【００１３】
請求項４に記載の本発明の表示装置は、請求項１ないし請求項３のうちいずれか一項に記載の表示装置において、前記表示部は、前記アーム部に回動自在に支持されていることを特徴としている。
【００１４】
請求項５に記載の本発明の表示装置は、請求項４記載の表示装置において、前記表示部は、前記アーム部に対し互いに交差する第３の回動軸と第４の回動軸との双方の回りに回動自在に設けられたことを特徴としている。
【００１５】
請求項６に記載の本発明の表示装置は、請求項５記載の表示装置において、前記回動部は、前記天井部に対し交差する方向に沿った第１の回動軸回りに回動自在に設けられ、前記アーム部は、前記第１の回動軸に対し交差する第２の回動軸回りに回動自在に前記回動部に支持され、前記第３の回動軸は、前記第１の回動軸に沿って配され、前記第４の回動軸は、前記第２の回動軸に沿って配されていることを特徴としている。
【００１６】
請求項７に記載の本発明の表示装置は、請求項１ないし請求項６のうちいずれか一項に記載の表示装置において、前記移動体の天井部の壁面から凹に形成されかつ前記アーム部を収容可能な凹部を複数備えたことを特徴としている。
【００１７】
請求項８に記載の本発明の表示装置は、請求項７記載の表示装置において、前記複数の凹部は、互いに方向が異なりかつ前記回動部の天井部に対する取付位置から放射方向に沿って延在して形成されたことを特徴としている。
【００１８】
請求項９に記載の本発明の表示装置は、請求項７または請求項８記載の表示装置において、前記複数の凹部のうち少なくとも一つの凹部の前記回動部の天井部に対する取付位置から離れた箇所に設けられ、かつ前記表示部を収容可能な第２凹部を備えたことを特徴としている。
【００１９】
請求項１に記載した本発明の表示装置によれば、表示部が、アーム部を介して回動部に支持されている。このため、前記回動部が移動体の天井部に対して回動することによって、表示部は、移動体内を大きく移動することとなる。移動体に座席が複数設けられた場合には、前記回動部を回動させて表示部を大きく移動させることによって、前記表示部をそれぞれの座席に対して略相対向させることができる。
【００２０】
請求項２に記載した本発明の表示装置によれば、アーム部が回動部に対し回動自在に支持されているので、表示部が移動体内をより確実に大きく移動することができる。
【００２１】
請求項３に記載した本発明の表示装置によれば、回動部が天井部に対し交差する第１の回動軸回りに回動自在であり、アーム部が前記第１の回動軸に交差する第２の回動軸回りに回動自在であるので、表示部が移動体内をより一層確実に大きく移動することができる。
【００２２】
請求項４に記載した本発明の表示装置によれば、表示部がアーム部に対し回動自在に支持されているので、この表示部が移動体内をより一層確実に大きく移動することができる。
【００２３】
請求項５に記載した本発明の表示装置によれば、表示部がアーム部に対し、第３の回動軸と第４の回動軸との双方の回りに回動自在に設けられているので、この表示部が移動体内を大きく移動することができるとともに、前記表示部をそれぞれの座席に対してより確実に略相対向させることができる。
【００２４】
請求項６に記載した本発明の表示装置によれば、第３の回動軸が第１の回動軸に沿って配されているので、表示部が移動体内を大きく移動することができるとともに、前記表示部をそれぞれの座席に対してより確実に略相対向させることができる。
【００２５】
また、第４の回動軸が第２の回動軸に沿って配されているので、表示部を第４の回動軸回りに回動することによって、前記天井部に沿った状態と、表示部を座席に着座した乗員に対し相対向させた状態と、に亘って、表示部を変位させることができる。
【００２６】
請求項７に記載した本発明の表示装置によれば、天井部の壁面から凹に形成された凹部がアーム部を収容するので、設置スペースを抑制することが可能となる。
【００２７】
請求項８に記載した本発明の表示装置によれば、複数の凹部が、回動部の天井部に対する取付位置から放射方向に沿って延在しているので、それぞれの凹部がアーム部を収容して設置スペースを抑制することにくわえて、表示部を移動体内をより確実に大きく移動でき、前記表示部をそれぞれの座席に対してより確実に略相対向させることができる。
【００２８】
請求項９に記載した本発明の表示装置によれば、第２凹部が、表示部を収容可能であるので、この表示装置の非使用時に第２凹部が表示部を収容して、表示装置の設置スペースをより一層抑制することができる。
【００２９】
【発明の実施の形態】
本発明の一実施形態を図１ないし図７を参照して説明する。
図１などに示す本発明の一実施形態にかかる表示装置１は、移動体としての自動車などの車両２（図２などに示す）の乗員室の天井部としての略平坦な天井壁３（図３ないし図７に示す）などに装着され、この車両２に装備されるテレビ装置の受信した映像などを表示する装置である。
【００３０】
前記表示装置１が装備される移動体としての車両２は、図２に示すように、複数の座席４ａ，４ｂ，４ｃ，４ｄ，４ｅ，４ｆを備えている。図２において、座席４ａは運転席をなし、座席４ｂは助手席をなしている。
【００３１】
また、座席４ｃ，４ｄは、二列目の後部座席をなしており、座席４ｅ，４ｆは、三列目の後部座席をなしている。さらに、前記座席４ｃ，４ｅは、車両の右側に設けられており、座席４ｄ，４ｆは、車両の左側に設けられている。図２に示した車両２は、四つの座席４ｃ，４ｄ，４ｅ，４ｆを後部座席に設けたいわゆるワンボックスカーをなしている。
【００３２】
本発明の一実施形態に係る表示装置１は、図１、図３ないし図７に示すように、前記天井部３に回動自在に設けられる回動部５と、この回動部５に支持されたアーム部６と、このアーム部６に支持された表示部としての表示ユニット７と、収容部８と、を備えている。
【００３３】
回動部５は、前記天井壁３に取付られる図示しない軸部材と、この軸部材に対し回動自在に設けられたベース部５ａと、前記ベース部５ａの軸部材に対する回転運動に摩擦トルクを付与する図示しない摩擦部材などを備えている。
【００３４】
前記ベース部５ａは、略円盤状に形成されている。前記軸部材は、前記天井壁３に対し交差した軸線５ｂに沿って配されている。図示例では、前記軸線５ｂは、天井壁３に対し略直交しており、本明細書に記した第１の回動軸をなしている。
【００３５】
回動部５は、軸線５ｂ回りに全周に亘って回動自在となっている。回動部５は、ベース部５ａが、後述する中央凹部２０内に収容された状態で、車両２の天井壁３に取付られる。
【００３６】
前述した構成によって、回動部５は、前記摩擦部材の摩擦トルクによって、前記軸線５ｂ回りの変位を所望の位置で保つことができる。また、前記車両の乗員などの操作者が手などを用いて、前記軸線５ｂ回りに前記ベース部５ａを所望の角度回転変位させることによって、前記ベース部５ａ即ち回動部５の軸線５ｂ回りの変位を変更する。
【００３７】
アーム部６は、帯板状に形成されており、一端部６ａが第１のヒンジユニット１０を介して回動部５に回動自在に支持されている。第１のヒンジユニット１０は、前記回動部５とアーム部６とのうち一方に取り付けられるベース部と、このベース部に対し回動自在でかつ前記他方に取付られる軸部材と、前記軸部材のベース部に対する回転運動に摩擦トルクを付与する摩擦部材などを備えている。
【００３８】
前記第１のヒンジユニット１０の軸部材は、前記天井壁３に沿った軸線１０ａに沿って配されている。軸線１０ａは、前記軸線５ｂに対し交差している。図示例では、前記軸線１０ａは、軸線５ｂに対し略直交しており、本明細書に記した第２の回動軸をなしている。前述した構成によって、アーム部６は軸線１０ａ回りに回動自在に回動部５に支持されている。
【００３９】
前述した構成によって、第１のヒンジユニット１０は、前記摩擦部材の摩擦トルクによって、前記アーム部６の軸線１０ａ回りの変位を所望の位置で保つことができる。また、前記車両の乗員などの操作者が手などを用いて、前記軸線１０ａ回りに前記アーム部６を所望の角度回転変位させることによって、前記アーム部６の軸線１０ａ回りの変位を変更する。
【００４０】
表示ユニット７は、アーム部６の他端部６ｂに第２のヒンジユニット１１を介して回動自在に支持されている。第２のヒンジユニット１１は、第１のヒンジ１２と第２のヒンジ１３とを備えている。
【００４１】
第１のヒンジ１２は、前記アーム部６と前記第２のヒンジ１３とのうち一方に取付られるベース部と、このベース部に対し回動自在でかつ前記他方に取付られる軸部材と、前記軸部材のベース部に対する回転運動に摩擦トルクを付与する摩擦部材などを備えている。
【００４２】
前記第１のヒンジ１２の軸部材は、前記天井壁３に沿った軸線１２ａに沿って配されている。軸線１２ａは、前記軸線１０ａに沿っている。図示例では、前記軸線１２ａは、軸線１０ａに対し略平行でかつ軸線５ｂに対し略直交している。軸線１２ａは、本明細書に記した第４の回動軸をなしている。
【００４３】
第２のヒンジ１３は、前記第１のヒンジ１２と表示ユニット７のうち一方に取付られるベース部と、このベース部に対し回動自在でかつ前記他方に取付られる軸部材と、前記軸部材のベース部に対する回転運動に摩擦トルクを付与する摩擦部材などを備えている。
【００４４】
前記第２のヒンジ１３の軸部材は、前記天井壁３に対し交差した軸線１３ａに沿って配されている。軸線１３ａは、前記軸線５ｂに沿っている。図示例で、前記軸線１３ａは、軸線５ｂに対し略平行でかつ軸線１０ａ，１２ａに対し略直交している。軸線１３ａは、本明細書に記した第３の回動軸をなしている。
【００４５】
前述した構成によって、表示ユニット７は、互いに交差する軸線１２ａ，１３ａ回りに回動自在にアーム部６に支持されている。なお、図示例において、前記軸線１２ａ，１３ａは、互いに直交している。
【００４６】
前述した構成によって、第２のヒンジユニット１１は、前記ヒンジ１２，１３それぞれの摩擦部材の摩擦トルクによって、前記表示ユニット７の軸線１２ａ，１３ａ回りの変位を所望の位置で保つことができる。また、前記車両の乗員などの操作者が手などを用いて、前記軸線１２ａ，１３ａ回りに前記表示ユニット７を所望の角度回転変位させることによって、前記表示ユニット７の軸線１２ａ，１３ａ回りの変位を変更する。
【００４７】
表示ユニット７は、液晶表示パネルなどからなりかつ前記テレビ装置の受信した映像などの情報を表示する表示パネル１５と、この表示パネル１５を収容する筐体１６と、を備えている。表示ユニット７は、平面形状が矩形状に形成されている。筐体１６は、前記第２のヒンジユニット１１を介してアーム部６に回動自在に支持されている。
【００４８】
収容部８は、図３ないし図７に示すように、本明細書に記した前記回動部５の取付位置をなす中央凹部２０と、それぞれ本明細書に記した凹部をなす複数の凹溝２１と、第２凹部としての表示部収容部２２と、を備えている。前記中央凹部２０と凹溝２１と表示部収容部２２は、それぞれ、天井壁３の壁面３ａより凹に形成されている。
【００４９】
中央凹部２０は、前記天井壁３の略中央に設けられている。中央凹部２０は、前記回動部５のベース部５ａを収容可能な大きさに形成されている。中央凹部２０は、平面形状が略円形に形成されている。
【００５０】
凹溝２１は、互いに異なる方向に沿って延在して形成されている。凹溝２１は、それぞれ、前記中央凹部２０から放射状に延在して形成されている。図示例において、凹溝２１は、中央凹部２０から車両２の前方に向かって延在した前方凹溝２１ａと、中央凹部２０から車両２の後方に向かって延在した後方凹溝２１ｂと、中央凹部２０から車両２の前方でかつ右方に向かって延在した前右方凹溝２１ｃと、中央凹部２０から車両２の前方でかつ左方に向かって延在した前左方凹溝２１ｄと、を備えている。
【００５１】
前右方凹溝２１ｃは、中央凹部２０から座席４ｃの上方に向かって延在している。前左方凹溝２１ｄは、中央凹部２０から座席４ｄの上方に向かって延在している。前記凹溝２１ａ，２１ｂ，２１ｃ，２１ｄは、それぞれ、前記アーム部６の幅より若干小さい幅を有する嵌合部２３と、アーム部６の幅より十分大きな幅を有する操作部２４と、を備えている。
【００５２】
前記凹溝２１ａ，２１ｂ，２１ｃ，２１ｄは、ぞれぞれ、前記嵌合部２３内に嵌合させてアーム部６を支持する。前記凹溝２１ａ，２１ｂ，２１ｃ，２１ｄは、それぞれ、前記アーム部６を収容可能な大きさに形成されている。また、前記嵌合部２３内にアーム部６を嵌合させた状態から、前記操作部２４などから前述した操作者が指先を挿入するなどして、前記アーム部６を嵌合部２３内から抜き出すことができる。
【００５３】
表示部収容部２２は、前記前方凹溝２１ａの、前記中央凹部２０から離れた箇所としての端部に設けられている。表示部収容部２２は、前記表示パネル１５が前記天井壁３と平行となった状態で、前記表示ユニット７を収容することのできる大きさに形成されている。表示部収容部２２は、平面形状が略矩形状に形成されている。
【００５４】
前述した構成によれば、例えば、表示装置１の非使用時には、図３に示すように、前記表示部収容部２２内に表示ユニット７を収容しかつ前記前方凹溝２１ａ内にアーム部６を収容した状態に保つ。なお、このとき、表示ユニット７の表示パネル１５は、乗員室の床面に相対向した状態となっている。
【００５５】
このような状態で保つことによって、非使用時には、表示ユニット７が天井壁３から乗員室側に突出することがない。このように、非使用時には、表示ユニット７を天井壁３に設けられた表示部収容部２２内に収容するので、この表示装置１の設置スペースなどを抑制することが可能となる。
【００５６】
前記座席４ｃ，４ｄ，４ｅ，４ｆに着座した乗員全てに対し、表示ユニット７が表示する情報を提供する際、即ち座席４ｃ，４ｄ，４ｅ，４ｆに着座した全ての乗員が表示パネル１５の情報を視認する際には、図４に示すように、前記アーム部６を前方凹溝２１ａ内に収容した状態のまま、第２のヒンジユニット１１の第１のヒンジ１２の軸線１２ａ回りに表示ユニット７を、表示パネル１５が乗員室の床面に相対向した状態から、前記座席４ｃ，４ｄ，４ｅ，４ｆに着座した乗員全てに対し相対向する状態まで回動させる。
【００５７】
前記表示ユニット７を軸線１２ａ回りに回動して、表示パネル１５が前記座席４ｃ，４ｄ，４ｅ，４ｆに着座した乗員全てに対し相対向する状態に変位させることによって、前記座席４ｃ，４ｄ，４ｅ，４ｆに着座した全ての乗員は、前記表示パネル１５に表示される情報を視認することができる。
【００５８】
主に、前記座席４ｃに着座した乗員に対し、表示ユニット７が表示する情報を提供する際、即ち座席４ｃに着座した乗員が表示パネル１５の情報を視認する際には、図５にすように、前記アーム部６を前方凹溝２１ａから抜き出した後、アーム部６を軸線５ｂ回りにベース部５ａ毎回動させて、アーム部６を前右方凹溝２１ｃ内に嵌合させる。
【００５９】
そして、第２のヒンジユニット１１の第２のヒンジ１３の軸線１３ａ回りに表示ユニット７を、表示パネル１５が前記座席４ｃに着座した乗員に対し相対向する状態まで回動させる。
【００６０】
前記表示ユニット７を軸線１３ａ回りに回動して、表示パネル１５が前記座席４ｃに着座した乗員に対し相対向する状態に変位させることによって、前記座席４ｃに着座した乗員は、前記表示パネル１５に表示される情報を確実に視認することができる。
【００６１】
主に、前記座席４ｄに着座した乗員に対し、表示ユニット７が表示する情報を提供する際、即ち座席４ｄに着座した乗員が表示パネル１５の情報を視認する際には、図６に示すように、前記アーム部６を軸線５ｂ回りにベース部５ａ毎所望の方向に回動させて、アーム部６を前左方凹溝２１ｄ内に嵌合させる。
【００６２】
そして、第２のヒンジユニット１１の第２のヒンジ１３の軸線１３ａ回りに表示ユニット７を、表示パネル１５が前記座席４ｄに着座した乗員に対し相対向する状態まで回動させる。
【００６３】
前記表示ユニット７を軸線１３ａ回りに回動して、表示パネル１５が前記座席４ｄに着座した乗員に対し相対向する状態に変位させることによって、前記座席４ｄに着座した乗員は、前記表示パネル１５に表示される情報を確実に視認することができる。
【００６４】
主に、前記座席４ｅ，４ｆに着座した乗員に対し、表示ユニット７が表示する情報を提供する際、即ち座席４ｅ，４ｆに着座した乗員が表示パネル１５の情報を視認する際には、図７に示すように、前記アーム部６を軸線５ｂ回りにベース部５ａ毎所望の方向に回動させて、アーム部６を後方凹溝２１ｂ内に嵌合させる。
【００６５】
前記アーム部６を後方凹溝２１ｂ内に収容した状態で、第２のヒンジユニット１１のヒンジ１２，１３の軸線１２ａ，１３ａ回りに、表示パネル１５が前記座席４ｅ，４ｆに着座した乗員に対し相対向する状態まで、表示ユニット７を回動させる。
【００６６】
前記表示ユニット７を軸線１２ａ，１３ａ回りに回動して、表示パネル１５が前記座席４ｅ，４ｆに着座した乗員に対し相対向する状態に変位させることによって、前記座席４ｅ，４ｆに着座した全ての乗員は、前記表示パネル１５に表示される情報を確実に視認することができる。
【００６７】
なお、前述したように、前記アーム部６及び表示ユニット７などを前記軸線５ｂ，１０ａ，１２ａ，１３ａ回りに回動させる際には、操作者が手などを用いて前記アーム部６及び表示ユニット７の姿勢を変化させるようにして行う。また、アーム部６及び表示ユニット７は、姿勢が変化させられると、前述した図示しない摩擦部材が付与する摩擦トルクによって、変化された姿勢を保持することとなる。
【００６８】
本実施形態の表示装置１によれば、表示ユニット７が、アーム部６を介して回動部５に支持され、ベース５ａとともにアーム部６が軸線５ｂ回りに回動自在に設けられている。このため、表示ユニット７は、移動体の乗員室内を大きく移動することとなる。
【００６９】
また、アーム部６をベース部５ａとともに軸線５ｂ回りに回動させかつ前記軸線１０ａ，１２ａ，１３ａ回りに回動させることによって、表示ユニット７を前記座席４ｃ，４ｄ，４ｅ，４ｆそれぞれに着座する乗員に対し確実に略相対向させることができる。
【００７０】
したがって、座席４ｃ，４ｄ，４ｅ，４ｆ毎に表示ユニット７の表示パネル１５が表示する情報の見やすさが異なることを防止でき、座席４ｃ，４ｄ，４ｅ，４ｆ全てに着座する乗員に対して確実に情報を提供することができる。
【００７１】
また、アーム部６がべース部５ａとともに軸線５ｂ回りに回動自在に設けられかつ回動部５に対し第１のヒンジユニット１０によって軸線１０ａ回りに回動自在に支持されているとともに、表示ユニット７が第２のヒンジユニット１１によって軸線１２ａ，１３ａ回りに回動自在に支持されているので、表示ユニット７を座席４ｃ，４ｄ，４ｅ，４ｆそれぞれに着座する乗員に対しより確実に略相対向させることができる。
【００７２】
さらに、軸線５ｂが天井壁３に対し略直交交差し、軸線１０ａが天井壁３に沿うかつ軸線５ｂに対し略直交交差し、軸線１２ａが軸線１０ａに対し略平行に配されているとともに、前記軸線１３ａが軸線５ｂに対し略平行に配されている。このため、表示ユニット７を座席４ｃ，４ｄ，４ｅ，４ｆそれぞれに着座する乗員に対しより一層確実に略相対向させることができる。
【００７３】
また、前記表示ユニット７が座席４ｃ，４ｄ，４ｅ，４ｆそれぞれに着座する乗員に対し略相対向する際に、前記凹溝２１ａ，２１ｂ，２１ｃ，２１ｄ内にアーム部６を収容する。このため、表示装置１の設置スペースを抑制することができる。
【００７４】
さらに、凹溝２１ａ，２１ｂ，２１ｃ，２１ｄが、中央凹部２０から放射方向に沿って延在しているので、それぞれの凹溝２１ａ，２１ｂ，２１ｃ，２１ｄがアーム部６を収容して設置スペースを抑制することにくわえて、表示ユニット７を乗員室内をより確実に大きく移動でき、前記表示ユニット７をより確実にそれぞれの座席４ｃ，４ｄ，４ｅ，４ｆに対して略相対向させることができる。
【００７５】
表示装置１の非使用時には表示部収容部２２が表示ユニット７を収容する。このため、表示装置の設置スペースをより一層抑制することができる。
【００７６】
また、前述した実施形態においては、前記アーム部６を表示ユニット７を軸線５ｂ，１０ａ，１２ａ，１３ａそれぞれの回りに回動させて変位させる際に、操作者が手などを用いて行う場合を示しているが、前記アーム部６及び表示ユニット７を軸線５ｂ，１０ａ，１２ａ，１３ａそれぞれの回りに回動させるために、モータなどの駆動装置を用いるようにしても良い。
【００７７】
【発明の効果】
以上説明したように請求項１に記載の本発明によれば、回動部が移動体の天井部に対して回動することによって、表示部は、移動体内を大きく移動することとなる。このため、移動体に座席が複数設けられた場合には、前記回動部を回動させて表示部を大きく移動させることによって、前記表示部をそれぞれの座席に対して略相対向させることができる。
【００７８】
したがって、座席毎に表示部が表示する情報の見やすさが異なることを防止でき、全ての座席に着座する乗員に対して確実に情報を提供することができる。
【００７９】
請求項２に記載の本発明によれば、アーム部が回動部に対し回動自在に支持されているので、表示部をより確実に移動体内を大きく移動することができる。このため、表示部をそれぞれの座席に対してより確実に略相対向させることができる。
【００８０】
したがって、座席毎に表示部が表示する情報の見やすさが異なることをより確実に防止でき、全ての座席に着座する乗員に対してより確実に情報を提供することができる。
【００８１】
請求項３に記載の本発明によれば、回動部が天井部に対し交差する第１の回動軸回りに回動自在であり、アーム部が前記第１の回動軸に交差する第２の回動軸回りに回動自在であるので、表示部がより一層確実に移動体内を大きく移動することができる。このため、表示部をそれぞれの座席に対してより一層確実に略相対向させることができる。
【００８２】
したがって、座席毎に表示部が表示する情報の見やすさが異なることをより一層確実に防止でき、全ての座席に着座する乗員に対してより一層確実に情報を提供することができる。
【００８３】
請求項４に記載の本発明によれば、表示部がアーム部に対し回動自在に支持されているので、この表示部がより一層確実に移動体内を大きく移動することができるとともに、表示部をそれぞれの座席に対してより一層確実に略相対向させることができる。
【００８４】
したがって、座席毎に表示部が表示する情報の見やすさが異なることをより一層確実に防止でき、全ての座席に着座する乗員に対してより一層確実に情報を提供することができる。
【００８５】
副次的な効果として、表示部がアーム部に対し回動自在に支持されているので、表示装置の非使用時には、表示部を天井部に沿った姿勢に保つことができ、表示装置の設置スペースを抑制するこが可能となる。
【００８６】
請求項５に記載の本発明によれば、表示部がアーム部に対し、第３の回動軸と第４の回動軸との双方の回りに回動自在に設けられているので、この表示部が移動体内を大きく移動することができるとともに、前記表示部をそれぞれの座席に対してより確実に略相対向させることができる。
【００８７】
したがって、座席毎に表示部が表示する情報の見やすさが異なることをより一層確実に防止でき、全ての座席に着座する乗員に対してより一層確実に情報を提供することができる。
【００８８】
請求項６に記載した本発明の表示装置によれば、第３の回動軸が第１の回動軸に沿って配されているので、表示部が移動体内を大きく移動することができるとともに、前記表示部をそれぞれの座席に対してより確実に略相対向させることができる。したがって、座席毎に表示部が表示する情報の見やすさが異なることをより一層確実に防止でき、全ての座席に着座する乗員に対してより一層確実に情報を提供することができる。
【００８９】
また、第４の回動軸が第２の回動軸に沿って配されているので、表示部を第４の回動軸回りに回動することによって、この表示部を前記天井部に沿った状態と、表示部を座席に着座した乗員に対し相対向させた状態と、に亘って、表示部を変位させることができる。したがって、副次的な効果として、表示装置の非使用時には、表示部を天井部に沿った姿勢に保つことができるので、表示装置の設置スペースを抑制するこが可能となる。
【００９０】
請求項７に記載の本発明によれば、全ての座席に着座する乗員に対して確実に情報を提供できることにくわえ、天井部の壁面から凹に形成された凹部がアーム部を収容するので、設置スペースを抑制することが可能となる。
【００９１】
請求項８に記載の本発明によれば、複数の凹部が、回動部の天井部に対する取付位置から放射方向に沿って延在しているので、それぞれの凹部がアーム部を収容して設置スペースを抑制することにくわえて、表示部が移動体内を大きくより確実に移動でき、前記表示部をそれぞれの座席に対してより確実に略相対向させることができる。したがって、座席毎に表示部が表示する情報の見やすさが異なることをより一層確実に防止でき、全ての座席に着座する乗員に対してより一層確実に情報を提供することができる。
【００９２】
請求項９に記載の本発明によれば、第２凹部が、表示部を収容可能であるので、この表示装置の非使用時に第２凹部が表示部を収容して、表示装置の設置スペースをより一層抑制することができる。
【図面の簡単な説明】
【図１】本発明の一実施形態にかかる表示装置を示す斜視図である。
【図２】同実施形態の表示装置が取り付けられる車両の座席の配置状態を示す斜視図である。
【図３】同実施形態の表示装置の非使用時の状態を示す斜視図である。
【図４】同実施形態の表示装置において複数の座席に着座する乗員に対し情報を提供する状態を示す斜視図である。
【図５】同実施形態の表示装置において二列目の右方の座席に着座する乗員に対し情報を提供する状態を示す斜視図である。
【図６】同実施形態の表示装置において二列目の左方の座席に着座する乗員に対し情報を提供する状態を示す斜視図である。
【図７】同実施形態の表示装置において三列目の座席に着座する乗員に対し情報を提供する状態を示す斜視図である。
【図８】従来の表示装置を示す斜視図である。
【符号の説明】
１  表示装置
２  車両
３  天井壁（天井部）
３ａ  壁面
５  回動部
５ｂ  軸線（第１の回動軸）
６  アーム部
７  表示ユニット（表示部）
１０ａ  軸線（第２の回動軸）
１２ａ  軸線（第４の回動軸）
１３ａ  軸線（第３の回動軸）
２０  中央凹部（回動部の天井部に対する取付位置）
２１  凹溝（凹部）
２２  表示部収容部（第２凹部）
【図１】
0003825598.tif 000002
【図２】
0003825598.tif 000003
【図３】
0003825598.tif 000004
【図４】
0003825598.tif 000005
【図５】
0003825598.tif 000006
【図６】
0003825598.tif 000007
【図７】
0003825598.tif 000008
【図８】
0003825598.tif 000009